(57)【要約】【課題】機能パネル用取付部材において、固定金具の固定位置や施工バラつきの影響を低減可能なもの、強度を確保した状態で位置調整機能の改善を図ったもの、等を提供することである。【解決手段】機能パネル１を建造物の屋根上に取り付ける為の縦ラック４（機能パネル用取付部材）は、縦ラック４の長手方向の両端部を除く略全長に亙って形成された取付用長孔１１と、この取付用長孔１１の長手方向の縁部に連続して形成された１対の突条部１２とを備え、薄鋼板を打ち抜き及び曲げ加工する板金加工により形成されている。【選択図】図２
2015183447.tif 000002
【特許請求の範囲】
【請求項１】
機能パネルを建造物の屋根上に取り付ける為の機能パネル用取付部材において、
前記取付部材の長手方向の両端部を除く略全長に亙って形成された取付用長孔と、この取付用長孔の長手方向の縁部に連続して形成された１対の突条部とを備えたことを特徴とする機能パネル用取付部材。
【請求項２】
薄鋼板を打ち抜き及び曲げ加工する板金加工により形成されたことを特徴とする請求項１に記載の機能パネル用取付部材。
【発明の詳細な説明】
【技術分野】
【０００１】
本発明は機能パネル用取付部材に関し、特に屋根上に固定された複数の固定金具に対する位置調整機能を改善したものに関する。
【背景技術】
【０００２】
従来から、太陽光発電パネルや太陽熱温水パネル等の種々の機能パネルが、住宅の傾斜した屋根の上に設置されている。機能パネルを太陽光発電パネルとして設置する場合は、太陽光により発電した電力を住宅用の電力として供給することができ、また、機能パネルを太陽熱温水パネルとして設置する場合は、太陽熱により生成された温水を貯湯タンクに貯留した後に給湯することができる。
【０００３】
一般的に、複数の機能パネルは、傾斜した屋根上に取り付けられた固定用架台の上に設置されている。この種の固定用架台は、縦方向に延びる縦ラックや横方向に延びる横ラック等の複数の機能パネル用取付部材で構成されている。固定用架台を屋根上に取り付ける場合、先ずは、機能パネルの設置数や屋根材に応じて予め複数の固定金具を屋根に固定し、次に、これら固定金具の上に複数の縦ラックを縦向きに設置し、次に、これら縦ラックの上に複数の横ラックを機能パネルのサイズに応じて横向きに設置することで、格子状の固定用架台を構成する。
【０００４】
ところで、上記の縦ラックを複数の固定金具に取り付ける為に、縦ラックの長手方向に形成された複数の長孔を利用して取り付ける場合がある。例えば、特許文献１の縦ラック（縦杆材）においては、長手方向の等間隔に形成された複数の長孔を備え、縦方向に並んだ複数の固定金具の上に縦ラックを取り付ける際には、各固定金具に装着されたボルト部材のネジ部を対応する長孔に下方から夫々挿通し、縦ラックの位置を長孔に沿ってスライド移動して調整した後に、各ボルト部材のネジ部に上方からナット部材を夫々螺合して縦ラックを複数の固定金具に固定する。
【先行技術文献】
【特許文献】
【０００５】
【特許文献１】特開２００９−７８２１号公報
【発明の概要】
【発明が解決しようとする課題】
【０００６】
特許文献１の縦ラックを、縦方向に並ぶ複数の固定金具に複数の長孔を介して取り付ける為には、固定金具の固定位置を縦ラックの複数の長孔の位置に合うように予め調整して屋根上に固定する必要がある。つまり、縦ラックの各長孔の長さに応じて複数の固定金具の固定位置に制約が生じてしまう。
【０００７】
しかし、屋根材のサイズ・形状によっては、屋根上に複数の固定金具を任意の位置に固定することができず、縦ラックの複数の長孔の位置と複数の固定金具の固定位置とが合わなくなり、縦ラックを複数の固定金具に取り付けるのが困難になるという問題がある。また、複数の固定金具の施工バラつきによって縦方向に並ぶ固定金具間にズレが生じている場合も同様に、縦ラックの複数の長孔の位置と複数の固定金具の固定位置とが合わなくなる虞があり、上記と同様に取り付けが困難になるという問題もある。
【０００８】
本発明の目的は、機能パネル用取付部材において、固定金具の固定位置や施工バラつきの影響を低減可能なもの、強度を確保した状態で位置調整機能の改善を図ったもの、等を提供することである。
【課題を解決するための手段】
【０００９】
請求項１の機能パネル用取付部材は、機能パネルを建造物の屋根上に取り付ける為の機能パネル用取付部材において、前記取付部材の長手方向の両端部を除く略全長に亙って形成された取付用長孔と、この取付用長孔の長手方向の縁部に連続して形成された１対の突条部とを備えたことを特徴としている。
【００１０】
請求項２の機能パネル用取付部材は、請求項１の発明において、薄鋼板を打ち抜き及び曲げ加工する板金加工により形成されたことを特徴としている。
【発明の効果】
【００１１】
請求項１の発明によれば、機能パネル用取付部材は、取付部材の長手方向の両端部を除く略全長に亙って形成された取付用長孔と、この取付用長孔の長手方向の縁部に連続して形成された１対の突条部とを備えたので、屋根上の複数の固定金具に機能パネル用取付部材を取り付ける際には、長手方向に連続する取付用長孔を利用して取り付けることができる。
【００１２】
従って、取付用長孔を機能パネル用取付部材の長手方向の両端部を除く略全長に亙って形成することで、複数の長孔を形成する場合と比較すると、固定金具の固定位置や施工バラツキの影響が低減して、機能パネル用取付部材の位置調整機能が向上すると共に、取付用長孔の長手方向の縁部に連続して１対の突条部を形成することで、機能パネル用取付部材の強度を確保でき、機能パネル用取付部材の取付用長孔による強度不足を解消することができる。
【００１３】
請求項２の発明によれば、機能パネル用取付部材は、薄鋼板を打ち抜き及び曲げ加工する板金加工により形成されたので、低コストで且つ容易に機能パネル用取付部材の強度を確保した状態で位置調整機能の改善を実現できる。
【図面の簡単な説明】
【００１４】
【図１】本発明の実施例に係る縦ラック（機能パネル用取付部材）を含む固定用架台と複数の機能パネルの平面図である。
【図２】縦ラックと固定金具の上方からの斜視図である。
【図３】縦ラックと固定金具の下方からの斜視図である。
【図４】縦ラックの底壁部の平面図である。
【図５】縦ラックの断面図である。
【図６】部分変更形態に係る縦ラックの断面図である。
【発明を実施するための形態】
【００１５】
以下、本発明を実施するための形態について実施例に基づいて説明する。
【実施例】
【００１６】
先ず、各種建造物の屋上等に設置された固定用架台２に複数の機能パネル１が設置された全体構造について簡単に説明する。
図１に示すように、複数の機能パネル１は、例えば、３行４列のマトリックス状に並べられ、傾斜した屋根面Ｓ上に固定用架台２を介して設置されている。尚、本実施例では、図１における上方を棟側として、下方を軒側として、左右を左右として、上下方向を縦方向として、左右方向を横方向として説明する。
【００１７】
図１に示すように、複数の機能パネル１は、横方向に並べた複数の（例えば３行の）パネル行を構成し、パネル行の各々は、固定用架台２の２条の横ラック５により縦方向の両端を支持する状態に配置されている。機能パネル１は、例えば、１．３ｍ×１．０ｍ程度のサイズに構成されている。但し、本実施例では、機能パネル１は太陽電池パネルであるが、これに限定する必要はなく、太陽熱温水パネルからなる機能パネル１の場合であっても良い。
【００１８】
次に、固定用架台２について説明する。
図１に示すように、固定用架台２は、機能パネル１を建造物の屋根上に取り付ける為のものであり、縦方向に延びる複数の縦ラック４と、横方向に延びる複数の横ラック５等から格子状に構成されている。複数の縦ラック４は、傾斜屋根面Ｓ上に横方向の適当な複数箇所に縦向きに設置されている。複数の横ラック５は、複数の縦ラック４の上に機能パネル１の縦幅とほぼ等しい間隔おきに設置されている。
【００１９】
縦ラック４と横ラック５は、夫々、薄鋼板製の条材である。縦ラック４と横ラック５の表面には、マグネシウムを主成分とする防蝕兼絶縁被膜が形成されている。縦ラック４は複数の固定金具６を介して屋根面Ｓに固定されている。縦ラック４と横ラック５の各交差部において、横ラック５は縦ラック４に対して連結金具（図示略）により固定されている。
【００２０】
次に、本発明に係る縦ラック４の詳細な構造について説明する。
図１〜図３に示すように、複数の縦ラック４（本発明の機能パネル用取付部材に相当する）は、機能パネル１を複数の横ラック５を介して傾斜屋根面Ｓと平行に固定する為のものであり、縦方向に並ぶ２つの固定金具６を介して傾斜屋根面Ｓに夫々固定されている。複数の縦ラック４は全て同じ形状のものであるので、以下では、１つの縦ラック４について説明する。
【００２１】
尚、複数の固定金具６は、夫々、金属帯板を屈曲形成したものであり、機能パネル１の設置数や建造物の屋根を構成する屋根材に応じて固定位置が調整され、傾斜屋根面Ｓに縦向きに固定されている。この固定金具６は、平板状の棟側部分６ａと、この棟側部分６ａの軒側端部に連結された側面視コ字状の軒側部分６ｂとから一体形成され、棟側部分６ａが屋根材等にビス止め固定され、軒側部分６ｂの上端部が縦ラック４に固定される。
【００２２】
図２〜図５に示すように、縦ラック４は、正面視にて上方開放状の断面Ｃ字状に構成されたリップ溝型鋼からなる。即ち、縦ラック４は、平面視にて縦長の底壁部４ａと、この底壁部４ａの横方向両端部から略直角に上方に夫々延びる１対の側壁部４ｂと、この１対の側壁部４ｂの上端部から互いに接近する方向に夫々延びる１対の上壁部４ｃと、この１対の上壁部４ｃの対向する端部から底壁部４ａ側に向って傾斜状に折曲された折曲部４ｄとから一体形成されている。
【００２３】
さらに、縦ラック４は、縦方向の位置調整の為の取付用長孔１１と、縦ラック４の強度を確保する為の１対の突条部１２とを備えている。即ち、取付用長孔１１は、底壁部４ａの長手方向の両端部を除く略全長に亙って連続して形成されている。各突条部１２は、取付用長孔１１の長手方向の縁部に連続して夫々形成され、縦ラック４の内側に向かって上方に突出するように夫々形成されている。
【００２４】
尚、縦ラック４の長さは、縦方向に並べた複数の機能パネル１からなるパネル列の縦幅（例えば３ｍ程度）に合わせて設定され、縦ラック４の板厚は、１．６ｍｍ程度に設定されているが、特にこれらのサイズに限定する必要はない。また、取付用長孔１１の幅は、１０ｍｍ程度に設定され、突条部１２の高さは、３〜４ｍｍ程度に設定されているが、特にこれらのサイズに限定する必要はない。
【００２５】
縦ラック４は、薄鋼板を打ち抜き及び曲げ加工する板金加工により形成されている。１対の突条部１２を形成する為には、縦ラック４の製造段階で、取付用長孔１１の長手方向の縁部に、予め折り返し部相当板部を延長状に夫々形成し、この相当板部を縦ラック４の内側に９０度折り曲げ（切り越し）加工することで１対の突条部１２を形成している。
【００２６】
次に、本発明の縦ラック４の作用及び効果について説明する。
図２に示すように、縦ラック４の底壁部４ａを、縦方向に並ぶ２つの固定金具６の軒側部分６ｂの上端部に載置すると共に各固定金具６に装着されたボルト部材１５のネジ部を連続した取付用長孔１１に下方から夫々挿入する。
【００２７】
次に、縦ラック４を取付用長孔１１に沿ってスライド移動させながら縦方向に位置決めし、取付用長孔１１の上方に突出したボルト部材１５のネジ部に、上方から座金１６を取り付けてからナット部材１７を夫々螺合することで、縦ラック４を２つの固定金具６に固定する。
【００２８】
以上説明したように、縦ラック４は、長手方向の両端部を除く略全長に亙って形成された取付用長孔１１と、この取付用長孔１１の長手方向の縁部に連続して形成された１対の突条部１２とを備えたので、屋根上の複数の固定金具６に縦ラック４を取り付ける際には、長手方向に連続する取付用長孔１１を利用して取り付けることができる。
【００２９】
従って、取付用長孔１１を縦ラック４の長手方向の両端部を除く略全長に亙って形成することで、複数の長孔を形成する場合と比較すると、固定金具６の固定位置や施工バラツキの影響が低減して、縦ラック４の位置調整機能が向上すると共に、取付用長孔１１の長手方向の縁部に連続して１対の突条部１２を形成することで、縦ラック４の強度を確保でき、縦ラック４の取付用長孔１１による強度不足を解消することができる。
【００３０】
また、縦ラック４は、薄鋼板を打ち抜き及び曲げ加工する板金加工により形成されたので、低コストで且つ容易に縦ラック４の強度を確保した状態で位置調整機能の改善を実現できる。
【００３１】
次に、前記実施例を部分的に変更した形態について説明する。
［１］図６に示すように、縦ラック４Ａにおいて、前記実施例の１対の突条部１２に代えて、１対の突条部１２Ａを取付用長孔１１Ａの長手方向の縁部の近傍部に連続して形成しても良い。この場合、縦ラック４Ａを押し出し加工により形成し、押し出し加工後に取付用長孔１１Ａを形成しても良い。
【００３２】
［２］前記１対の突条部１２，１２Ａは、縦ラック４，４Ａの内側に向かって上方に突出するように夫々形成されているが、特にこの形状に限定する必要はなく、縦ラック４，４Ａの外側に向かって下方に突出するように夫々形成されても良い。
【００３３】
［３］その他、当業者であれば、本発明の趣旨を逸脱することなく、前記実施例に種々の変更を付加した形態で実施可能であり、本発明はそのような変更形態を包含するものである。
【符号の説明】
【００３４】
Ｓ            屋根面
１            機能パネル
４，４Ａ      縦ラック（機能パネル用取付部材）
１１，１１Ａ  取付用長孔
１２，１２Ａ  １対の突条部
【図１】
2015183447.tif 000003
【図２】
2015183447.tif 000004
【図３】
2015183447.tif 000005
【図４】
2015183447.tif 000006
【図５】
2015183447.tif 000007
【図６】
2015183447.tif 000008